(57)【要約】【課題】撮影者の意図を反映させつつ、動画像の解像度を低下させることなくより印象的な動画像を生成する。【解決手段】被写体からの光を撮像する撮像素子からの撮像信号に基づき時系列に得られた複数の画像を順次記憶する記憶部８と、前記記憶部に記憶された前記複数の画像のうちの１つの画像に関する静止画像を生成する静止画像生成部５ｃと、前記静止画像に基づく静止画を表示する表示部１２と、前記表示部に表示されている前記静止画上に複数のポイントを設定して表示するポイント表示制御部４と、前記表示部に表示されている、少なくとも１つの前記ポイントを指定するポイント指定部１４と、前記記憶部に記憶された前記複数の画像を用いて、第１領域の画角と、前記ポイント指定部により指定された前記ポイントを含み且つ前記第１領域の画角とは異なる画角である第２領域の画角との間を、所定時間かけて変化する動画像データを生成する動画像データ生成部５ｂとを備える。【選択図】図１
2013102385.tif 000002
【特許請求の範囲】
【請求項１】
被写体からの光を撮像する撮像素子からの撮像信号に基づき時系列に得られた複数の画像を順次記憶する記憶部と、
前記記憶部に記憶された前記複数の画像のうちの１つの画像に関する静止画像を生成する静止画像生成部と、
前記静止画像に基づく静止画を表示する表示部と、
前記表示部に表示されている前記静止画上に複数のポイントを設定して表示するポイント表示制御部と、
前記表示部に表示されている、少なくとも１つの前記ポイントを指定するポイント指定部と、
前記記憶部に記憶された前記複数の画像を用いて、第１領域の画角と、前記ポイント指定部により指定された前記ポイントを含み且つ前記第１領域の画角とは異なる画角である第２領域の画角との間を、所定時間かけて変化する動画像データを生成する動画像データ生成部と
を備えることを特徴とする撮像装置。
【請求項２】
前記記憶部に記憶される前記画像の画素数は、ハイビジョンサイズよりも大きい画素数であることを特徴とする請求項１記載の撮像装置。
【請求項３】
前記静止画像生成部は、操作者による静止画像撮影指示時の前記画像に関する静止画像を生成することを特徴とする請求項１または請求項２記載の撮像装置。
【請求項４】
前記動画像データ生成部は、前記画像の画像データの縮小率を変化させつつ各画像がハイビジョンサイズ相当の画素数を有する動画像データを生成することを特徴とする請求項１〜請求項３の何れか一項に記載の撮像装置。
【請求項５】
前記動画像データ生成部は、所定時間の間に前記記憶部に記憶された前記複数の画像に基づいて、前記記憶部に単位時間に記憶される前記画像の数を示す第１フレームレートより少ない第２フレームレートで再生されるスローモーション動画像データを生成することを特徴とする請求項１〜請求項４の何れか一項に記載の撮像装置。
【請求項６】
前記動画像データ生成部により生成された前記動画像データに基づく動画像を前記表示部に表示する表示制御部を備えることを特徴とする請求項１〜請求項５の何れか一項に記載の撮像装置。
【請求項７】
前記動画像データ生成部により生成された前記動画像データを記録部に記録する記録制御部を備えることを特徴とする請求項１〜請求項６の何れか一項に記載の撮像装置。
【請求項８】
前記表示制御部により前記表示部に表示させた前記動画像を前記記録部に記録させるか否かを選択する選択部を備えることを特徴とする請求項７記載の撮像装置。
【請求項９】
前記第１領域の画角は、前記ポイント指定部により指定された第１ポイントを含む第１部分領域の画角であり、前記第２領域の画角は、前記ポイント指定部により指定された第２ポイントを含む第２部分領域の画角であることを特徴とする請求項１〜請求項８の何れか一項に記載の撮像装置。
【請求項１０】
前記第１領域の画角は、前記静止画像データの全体画角であり、前記第２領域の画角は、前記ポイント指定部により指定された第１ポイントを含む第１部分領域の画角であることを特徴とする請求項１〜請求項８の何れか一項に記載の撮像装置。
【請求項１１】
前記第１領域の画角から前記第２領域の画角への画角変化の速度は、一定であることを特徴とする請求項１〜請求項１０の何れか一項に記載の撮像装置。
【請求項１２】
前記動画像データ生成部は、前記画像の画像データの縮小率を小さくしつつ前記第１領域の画角から前記第２領域の画角へ変化させることを特徴とする請求項１〜請求項１１の何れか一項に記載の撮像装置。
【請求項１３】
前記ポイント表示制御部は、前記静止画像の画像解析結果に応じて設定された複数の前記ポイントを表示することを特徴とする請求項１〜請求項１２の何れか一項に記載の撮像装置。
【請求項１４】
前記ポイント指定部は、前記静止画像の画像解析結果に応じて、少なくとも１つの前記ポイントを指定することを特徴とする請求項１３に記載の撮像装置。
【請求項１５】
前記記憶部に記憶されている前記複数の画像及び前記ポイント指定部により指定された前記少なくとも１つのポイントを記録媒体に記録させる媒体記録制御部を備え、
前記動画像データ生成部は、前記記録媒体から読み出した前記複数の画像及び前記ポイント用いて、前記第１領域の画角から前記ポイントを含む第２領域の画角へ画角が変化する動画像データを生成することを特徴とする請求項１〜１４の何れか一項に記載の撮像装置。
【発明の詳細な説明】
【技術分野】
【０００１】
本発明は、動画像を記録可能な撮像装置に関するものである。
【背景技術】
【０００２】
従来、動画を撮影し記録を行う撮像装置において、予め指定された枠体に含まれる画像をフレームごとに切出して拡大処理し、これを繋ぎ合わせることによって所定の被写体を中心とした動画像を生成することが提案されている（例えば、特許文献１参照）。
【先行技術文献】
【特許文献】
【０００３】
【特許文献１】特開２００６−２７９８９４号公報
【発明の概要】
【発明が解決しようとする課題】
【０００４】
しかし、従来の撮像装置においては必ずしも好ましい範囲の部分拡大画像が得られるわけではく、また部分拡大により動画を生成することから拡大処理による解像度の低下が避けられない。
【０００５】
本発明の目的は、撮影者の意図を反映させつつ、動画像の解像度を低下させることなくより印象的な動画像を生成することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子からの撮像信号に基づき時系列に得られた複数の画像を順次記憶する記憶部（８）と、前記記憶部に記憶された前記複数の画像のうちの１つの画像に関する静止画像を生成する静止画像生成部（５ｃ）と、前記静止画像に基づく静止画を表示する表示部（１２）と、前記表示部に表示されている前記静止画上に複数のポイントを設定して表示するポイント表示制御部（４）と、前記表示部に表示されている、少なくとも１つの前記ポイントを指定するポイント指定部（１４）と、前記記憶部に記憶された前記複数の画像を用いて、第１領域の画角と、前記ポイント指定部により指定された前記ポイントを含み且つ前記第１領域の画角とは異なる画角である第２領域の画角との間を、所定時間かけて変化する動画像データを生成する動画像データ生成部（５ｂ）とを備える。
【発明の効果】
【０００８】
本発明の撮像装置によれば、撮影者の意図を反映させつつ、動画像の解像度を低下させることなくより印象的な動画像を生成することができる。
【図面の簡単な説明】
【０００９】
【図１】第１の実施の形態に係る電子カメラのシステム構成を示すブロック図である。
【図２】第１の実施の形態に係る電子カメラにおけるスローモーション動画像生成のためのバッファメモリ記憶時のフレームレート及び記録媒体記録時のフレームレートについて説明する図である。
【図３】第１の実施の形態に係る電子カメラにおいてスローモーション動画像及び静止画像を撮影する際の処理について説明するためのフローチャートである。
【図４】第１の実施の形態に係る電子カメラにおいてスローモーション動画像及び静止画像を撮影する際の処理について説明するためのフローチャートである。
【図５】第１の実施の形態に係る電子カメラの表示部に表示されたスルー画像を示す図である。
【図６】第１の実施の形態に係る電子カメラの表示部に表示された静止画像及び静止画像上に表示されたターゲットポイントを示す図である。
【図７】第１の実施の形態に係る電子カメラにおいて生成される画像データの画素数を説明するための図である。
【図８】第１の実施の形態に係る電子カメラにおいてズームポイントを基準として画角が変更されたスロー動画像の再生状態を示す図である。
【図９】第２の実施の形態に係る電子カメラの表示部に表示された静止画像及び静止画像上に表示されたターゲットポイントを示す図である。
【図１０】第２の実施の形態に係る電子カメラの表示部に表示された静止画像及び静止画像上に表示されたターゲットポイントを示す図である。
【図１１】実施の形態に係る電子カメラにおいて生成するパンニングしたスロー動画像について説明するための図である。
【発明を実施するための形態】
【００１０】
以下、本発明の第１の実施の形態に係る撮像装置としての電子カメラについて説明する。図１は、第１の実施の形態に係る電子カメラのシステム構成を示すブロック図である。図１に示すように電子カメラ２は、マイクロプロセッサ等により構成され、電子カメラ２の各部を統括的に制御する制御部４を備えている。制御部４は、映像信号処理回路５を有し、映像信号処理回路５は、後述する表示部１２において表示されるスルー画像のスルー画像データを生成するスルー画像生成部５ａ、動画像データを生成する動画像生成部５ｂ及び静止画像データを生成する静止画像生成部５ｃを有している。また、制御部４には、バッファメモリ８、記録媒体１０、表示部１２、操作部１４及びメモリ１６が接続されている。
【００１１】
バッファメモリ８は、撮像素子６からの撮像信号に基づき作成された画像データを一時的に記憶する。ここで、撮像素子６は、ＣＣＤまたはＣＭＯＳ等により構成され、図示しない撮影レンズを介した被写体からの光を撮像し、バッファメモリ８は、撮像素子６から出力され、図示しないＡ／Ｄコンバータを介すことによりアナログ信号からデジタル信号に変換された撮像信号に基づく画像データを一時的に記憶する。
【００１２】
また、バッファメモリ８は、電子カメラ２が例えば、後述のスローモーション動画像（以下、スロー動画像という。）を撮影するスローモーション動画像撮影モードに設定されている場合には、撮像素子６から動画像サイクル（６０ｆｐｓ等）に同期して出力される撮像信号に基づく複数の画像データ、即ちスロー動画像を構成する複数のフレーム画像を時系列に順次記憶する。なお、この実施の形態において、バッファメモリ８には、ＱＦＨＤ（Ｑｕｏｄ  Ｆｕｌｌ  Ｈｉｇｈ  Ｄｉｆｉｎｉｔｉｏｎ：３８４０×２１６０ピクセル）規格の画素数を有するフレーム画像、即ち高解像度のフレーム画像がＦＩＦＯ（ｆｉｒｓｔ  ｉｎ  ｆｉｒｓｔ  ｏｕｔ）方式で順次記憶される。
【００１３】
具体的には、バッファメモリ８が例えばｎ枚（ｎは自然数）のフレーム画像を記憶可能な記憶領域を有している場合において、制御部４は図２（ａ）に示すように、１番目に取得したフレーム画像Ｆ１、２番目に取得したフレーム画像Ｆ２…ｎ番目に取得したフレーム画像Ｆｎを順次、バッファメモリ８内に記憶させる。そして、ｎ枚のフレーム画像Ｆ１〜Ｆｎを記憶した後、次のフレーム画像Ｆｎ＋１が撮像素子６から出力されると、バッファメモリ８内から最古のフレーム画像Ｆ１を削除し、最新のフレーム画像Ｆｎ＋１を記憶させ、次のフレーム画像が撮像素子６から出力される度に、最古のフレーム画像を削除し、最新のフレーム画像を記憶させる処理を繰り返す。
【００１４】
即ち、バッファメモリ８は、ｎ個の記憶領域（フレーム画像を順に記憶するための記憶領域）を有しており、１番目のフレーム画像Ｆ１をアドレス番号（ｎ−１）の記憶領域に、２番目のフレーム画像Ｆ２をアドレス番号（ｎ−２）の記憶領域に、…ｎ番目のフレーム画像Ｆｎをアドレス番号０の記憶領域に順次記憶する。そして、ｎ個の記憶領域全部にフレーム画像Ｆ１〜Ｆｎが記憶され、次のフレーム画像Ｆｎ＋１が撮像素子６から出力されると、アドレス番号（ｎ−１）の記憶領域のフレーム画像（即ち最古のフレーム画像）Ｆ１が削除され、フレーム画像Ｆ２〜Ｆｎのそれぞれは、アドレス番号（ｎ−２）〜０の記憶領域からアドレス番号（ｎ−１）〜１の記憶領域に移動し、（ｎ＋１）番目のフレーム画像（即ち最新のフレーム画像）Ｆｎ＋１は、アドレス番号（０）の記憶領域に記憶される。よって、アドレス番号（０）の記憶領域には常に最新のフレーム画像が記憶され、アドレス番号が大きくなるに従い、順次古いフレーム画像が記憶され、アドレス番号０の記憶領域には常に最新のフレーム画像が記憶される。
【００１５】
記録媒体１０は、電子カメラ２に設けられたカードスロット（図示せず）に着脱可能に装着される可搬性を有する記録媒体であり、例えば、ＣＦカード、ＳＤカード、スマートメディア等が用いられる。記録媒体１０には、バッファメモリ８に記憶されているフレーム画像のそれぞれに、制御部４内の動画像生成部５ｂにより動画像用の解像度へのリサイズ（解像度大から小へ）処理、動画像用の画像処理、及び動画像用の圧縮処理を施すことにより作成される動画像データやスローモーション動画像データが記録される。また、記録媒体１０には、バッファメモリ８に記憶されているフレーム画像に、制御部４内の静止画像生成部５ｃにより静止画像用の画像処理、静止画像用の圧縮処理を施すことにより作成される静止画像データや、撮影に関する情報等が記録される。
【００１６】
表示部１２は、電子カメラ２の背面部に配置されるＬＣＤ等により構成されるモニタまたはＥＶＦ等により構成され、スルー画像生成部５ａにより生成されたスルー画像、記録媒体１０に記録されている動画像データに基づく動画像、スローモーション動画像データ（以下、スロー動画像データという。）に基づくスロー動画像、静止画像データに基づく静止画像、及び撮影に関する情報等を表示する。
【００１７】
操作部１４は、電子カメラ２の電源をオン／オフする電源スイッチ、動画像を撮影する動画像撮影モードやスロー動画像を撮影するスローモーション動画像撮影モード等の撮影モードを設定するためのコマンドダイヤル、動画像や静止画像の撮影開始等を指示するためのレリーズボタン、表示部１２にメニュー等を表示させるためのメニューボタン、メニュー項目等の選択や様々な設定時に操作される十字キー、メニュー項目等の選択や様々な設定に対する確定操作を行うためのＯＫボタン、記録媒体１０に記録された動画像データに基づく動画像や静止画像データに基づく静止画像を表示部１２に表示させるための再生ボタン等を含んで構成されている。メモリ１６は、記録媒体１０に記録させる前のスロー動画像データ及び静止画像データを一時的に記憶する。
【００１８】
この実施の形態に係る電子カメラ２では、撮像素子６から出力されバッファメモリ８に記憶されているフレーム画像から静止画像を生成すると共に、バッファメモリ８に単位時間に記憶されるフレーム画像の数を示す第１フレームレートより少ない第２フレームレートで再生され、かつ所定時間をかけて画角が変化するスロー動画像を生成し、静止画像データ及びスロー動画像データを互いに関連付けて記録媒体１０に記録する。
【００１９】
以下、図３に示す、制御部４の実行する動作フローチャートを参照して、この実施の形態に係る電子カメラ２においてスロー動画像及び静止画像を撮影する際の処理について説明する。なお、この実施の形態では、静止画像データを生成するためのフレーム画像がバッファメモリ８に記憶されたときから第１所定時間前までの間にバッファメモリ８に記憶された複数のフレーム画像、及び静止画像データを生成するためのフレーム画像がバッファメモリ８に記憶されたときから第２所定時間後までの間にバッファメモリ８に記憶された複数のフレーム画像に基づいて、スロー動画像データを生成する。即ち、所定時間（第１所定時間＋第２所定時間）の間にバッファメモリ８に記憶された複数のフレーム画像に基づいてスロー動画像データを生成し、第１所定時間終了時（第２所定時間開始時）にバッファメモリ８に記憶されたフレーム画像に基づいて静止画像データを生成する。なお、所定時間（例えば１秒等）、第１所定時間（例えば０．６秒等）、及び第２所定時間（例えば０．４秒等）は、予め設定され、メモリ１６等に記憶されており、変更可能に構成されている。
【００２０】
まず、ユーザーがコマンドダイヤルを操作することによりスローモーション動画像撮影モードが設定されると、本フローチャートはスタートする。まず制御部４は、スロー動画像及び該スロー動画像に関連する静止画像を撮影するためのスローモーション動画像撮影モードに移行する。そして、撮像素子６からの撮像信号に基づいてスルー画像生成部５ａによりスルー画像データを生成し、図５に示すように表示部１２にスルー画像を表示する（ステップＳ１１）。このステップＳ１１では、スルー画像内の主要被写体に対して合焦するように、図示しないフォーカスレンズ等を駆動させて、主要被写体に対して合焦させる。また本ステップの最中に主要被写体に対する露出制御も行う。なお主要被写体の決定には周知の手法、例えば予めユーザーがスルー画像内で指定したＡＦエリアに存在する被写体を主要被写体として決定するマニュアル決定手法や、或いは公知の顔認識方法によってカメラが自動的に主要被写体を決定する方法が用いられる。
【００２１】
次に、ユーザーによりレリーズボタンが半押しされたか否かを判別する（ステップＳ１２）。ステップＳ１２においてレリーズボタンが半押しされたと判別された場合には、ステップＳ１３に進み、そうでなければステップＳ１１に戻ってレリーズボタンが半押しされるまで待機する。ステップＳ１２において、レリーズボタンの半押し操作がなされたと判別された場合には（ステップＳ１２、Ｙｅｓ）、制御部４は、フレーム画像のバッファメモリ８へのバッファリングを開始する（ステップＳ１３）。即ち制御部４は、撮像素子６から動画像サイクルに同期して出力される撮像信号に基づく複数のフレーム画像Ｆ１…Ｆｎ…（図２参照）のバッファメモリ８内の所定のアドレスへの記憶を開始する。
【００２２】
なお、この実施の形態では、ユーザーによるレリーズボタンの全押し操作時に（後述するステップＳ１４、Ｙｅｓ）、撮像素子６から出力される撮像信号に基づくフレーム画像を用いて静止画像データを生成する。したがって、第１所定時間経過後であって、ユーザーによりレリーズボタンが全押しされるまで、フレーム画像のバッファメモリ８への記憶処理を繰り返す。またバッファメモリ８にｎ枚のフレーム画像が記憶された後においては、フレーム画像が出力されるたびに、バッファメモリ８内の最古のフレーム画像を削除し、出力されたフレーム画像（最新のフレーム画像）のバッファメモリ８への記憶処理を繰り返す。
【００２３】
次に、制御部４は、第１所定時間経過後であって、バッファメモリ８へのフレーム画像の記憶を繰り返している最中に、ユーザーによりレリーズボタンが全押しされたか否かを判別する（ステップＳ１４）。ステップＳ１４においてレリーズボタンが全押しされたと判別された場合には、制御部４は、静止画像データを生成する静止画像撮影指示が入力されたと判断し、第２所定時間を開始（第１所定時間を終了）させる。次に制御部４は、所定時間（第２所定時間）が経過したか否かを判別する（ステップＳ１５）。即ち、レリーズボタンの全押し操作後（静止画像撮影指示の入力後）におけるスロー動画像データを生成するのに必要なフレーム画像のバッファメモリ８への記憶が終了したか否かを判別する。ステップＳ１５において所定時間（第２所定時間）が経過していないと判別された場合には（ステップＳ１５、Ｎｏ）、制御部４は、バッファメモリ８へのフレーム画像の記憶を続ける。
【００２４】
一方、ステップＳ１５において所定時間（第２所定時間）が経過したと判別された場合には（ステップＳ１５、Ｙｅｓ）、制御部４は、スロー動画像データを生成するのに必要なｎ枚のフレーム画像のバッファメモリ８への記憶が終了したと判断し、バッファメモリ８へのバッファリングを終了する（ステップＳ１６）。このとき、バッファメモリ８には、図２（ａ）に示すように、静止画像撮影指示の入力時ＴＳから第１所定時間前までの間の（ｎ−ｐ）枚（ｐは自然数、ｎ＞ｐ）のフレーム画像Ｆ２〜Ｆ５…、及び静止画像撮影指示の入力時ＴＳから第２所定時間後までの間のｐ枚のフレーム画像…Ｆｎ，Ｆｎ＋１が記憶されており、これらｎ枚のフレーム画像Ｆ２〜Ｆｎ＋１に基づいて、後述するスロー動画像データが生成される。次に、制御部４は、バッファメモリ８に記憶されている複数のフレーム画像に基づいて、スロー動画像データの生成処理及び静止画像データの生成処理を実行する（ステップＳ１７）。
【００２５】
図４はスロー動画像データ及び静止画像データの生成処理を示すフローチャートである。先ず制御部４は静止画撮影指示の入力時ＴＳにバッファメモリ８へ記憶されたフレーム画像を読み出し、静止画像生成部５ｃにより表示用静止画像データを生成して、図６に示すように表示用静止画像データに基づく静止画像を表示部１２において表示する。また静止画像上の所定の位置に、スロー動画像データ生成時の画角変更時にターゲットとする位置の指定に用いる９点のターゲットポイントＰＰ、即ち図６において格子状に配列されている９個の四角形マークの表示を行う（ステップＳ３０）。
【００２６】
制御部４は、ユーザーが操作部１４を操作してターゲットポイントＰＰの中の１つを選択したか否かを判別し、選択されたと判別した場合には、選択されたターゲットポイントＰＰをズームポイントＰＰ１として識別表示する（ステップＳ３１）。図６は表示部１２に表示された９個のターゲットポイントＰＰの中から右下のターゲットポイントＰＰがズームポイントＰＰ１（図中においては黒色の四角マークで表す。）として選択された状態を示している。
【００２７】
制御部４はバッファメモリ８に記憶されているｎ数のフレーム画像の中から先頭のフレーム画像を読み出す（ステップＳ３２）。即ち、制御部４は、撮像素子６から出力されるフレームレート（撮影フレームレート）と同等の第１フレームレート（例えば６０フレーム／秒等）でバッファメモリ８に記憶されているフレーム画像Ｆ２〜Ｆ５…を、第１フレームレートより少ない第２フレームレート（例えば第１フレームレートの１／２．５である２４フレーム／秒等）でバッファメモリ８から読み出す。即ち、図２（ａ）に示すように、時間Ｔ１（例えば１／６０秒等）でバッファメモリ８に記憶されているフレーム画像Ｆ２を、図２（ｂ）に示すように、時間Ｔ２（例えば１／２４秒等）でバッファメモリ８から読み出す。ここで読み出されたフレーム画像Ｆ２は、図７にＦ２０で示すようにＱＦＨＤ規格の画素数（３８４０×２１６０ピクセル）を有する画像データであるため、動画像生成部５ｂによりＦ２０で示す画像データを５０％の縮小率で縮小し、フルハイビジョンサイズの画素数（１９２０×１０８０ピクセル）の画像データを作成してメモリ１６に記憶させる（ステップＳ３３）。
【００２８】
次に制御部４は、読み出されたフレーム画像が最後のフレーム画像（ｎ枚目のフレーム画像）であるか否かを判別し（ステップＳ３４）、最後でなければ次のフレーム画像Ｆ３を、図２（ｂ）に示すように、時間Ｔ２（例えば１／２４秒等）でバッファメモリ８から読み出す（ステップＳ３５）。ここで、生成されるスロー動画像は、第１領域の画角からターゲットポイントＰＰ１を含み且つ第１領域の画角よりも小さい画角である第２領域の画角へ所定時間をかけて一定の速度で画角が変化するスロー動画像であることから、ＱＦＨＤ規格の画素数を有するフレーム画像Ｆ３から、例えば図７にＦ３０で示す領域を切り出して、この領域の画像データを動画像生成部５ｂにより、フレーム画像Ｆ２の場合よりも小さい縮小率を用いて画像データの縮小を行い、フルハイビジョンサイズの画素数（１９２０×１０８０ピクセル）の画像データを作成してメモリ１６に記憶させる。
【００２９】
制御部４は、フレーム画像Ｆ４〜フレーム画像Ｆｎ＋１についても、画像データから切り出されるズームポイントＰＰ１を含む範囲を順次小さくしながらステップＳ３３の処理を行なう。ここでフレーム画像Ｆ２〜フレーム画像Ｆｎ＋１に対するステップＳ３３の処理で用いるフレーム画像の縮小率は、フレーム画像Ｆ２では５０％であるが、順次縮小率を小さくしていきフレーム画像Ｆｎ＋１では０％である。
【００３０】
制御部４は、最後のフレーム画像Ｆｎ＋１についての処理が終了したか否かの判別を行い（ステップＳ３４）、最後のフレーム画像についての処理が終了したと判別した場合に、ｎ枚のフレーム画像を用いたスロー動画像であって、第１領域であるフレーム画像全体の画角から、ターゲットポイントＰＰ１を含み且つ第１領域の画角よりも小さな第２領域の画角へ所定時間をかけて画角が変化するスロー動画像データの生成を終了する。なお、第２フレームレートの値は、予め設定され、メモリ１６等に記憶されており、変更可能に構成されている。
【００３１】
次に制御部４は、静止画像データの生成を行なう（ステップＳ３６）。即ち制御部４は、静止画撮影指示の入力時ＴＳにバッファメモリ８に記憶されたフレーム画像をバッファメモリ８から読み出す。そして、読み出されたフレーム画像に対して制御部４内の静止画像生成部５ｃにより静止画像用の画像処理を施すことにより静止画像データを生成し、メモリ１６に記憶させる（ステップＳ３６）。なお、この実施の形態では、ＨＤＴＶ規格以上の画素数を有するフレーム画像、即ち高解像度のフレーム画像がバッファメモリ８に記憶されるため、高解像度の静止画像データを得ることができる。なお、生成される静止画像データの画素数は、生成されたスロー動画像データの画素数より多い。次に、制御部４は、メモリ１６に記憶されている、スロー動画像データに基づくスロー動画像及び静止画像データに基づく静止画像を表示部１２にプレビュー表示する（ステップＳ３７）。ここでプレビュー表示はメモリ１６に記憶されている記録用スロー動画像データ及び記録用静止画像データから動画像生成部５ｂ及び静止画像生成部５ｃによりプレビュー用スロー動画像データ及びプレビュー用静止画像データを作成し、これらのデータを用いて行われる。
【００３２】
図８は、スロー動画像データに基づくスロー動画像の再生状態を示す図である。メモリ１６に記憶されているスロー動画像データに基づくスロー動画像は、図８（Ａ）に示す第１領域の画角から、図８（Ｂ）に示すように画角が小さくなり、最終的には図８（Ｃ）に示す第２領域の画角（図８（Ａ）において点線で示す画角）に所定時間かけて画角が変化する。なお、図８（Ａ）において点線で示す第２領域の画角は、説明のために示しているものであり、実際の動画像上には表示されない。スロー動画像の表示後、所定時間静止画像の表示が行われる。
【００３３】
次に、制御部４は、メモリ１６に記憶されているスロー動画像データ及び静止画像データを記録媒体１０に記録するか否かをユーザーに選択させる選択画面を表示する。そして、制御部４は、選択画面においてユーザーがスロー動画像データ及び静止画像データの記録媒体１０への記録を選択したか否かを判別する（ステップＳ３８）。ステップＳ３８においてスロー動画像データ及び静止画像データの記録媒体１０への記録が選択されたと判別した場合（ステップＳ３８、Ｙｅｓ）、メモリ１６に記憶されているスロー動画像データ及び静止画像データを記録媒体１０に記録させる（図３、ステップＳ１８）。なお、スロー動画像データ及び静止画像データを記録媒体１０に記録する場合には、メモリ１６に記憶されているスロー動画像データに対して制御部４内の動画像生成部５ｂにより動画像用の圧縮処理を施したスロー動画像データを記録媒体１０に記録し、静止画像データを記録媒体１０に記録する場合には、メモリ１６に記憶されている静止画像データに対して制御部４内の静止画像生成部５ｃにより静止画像用の圧縮処理を施した静止画像データを記録媒体１０に記録する。またスロー動画像データ及び静止画像データを、互いに関連付ける情報（撮影日時や識別番号等）を記録する。
【００３４】
一方、ステップＳ３８においてスロー動画像データ及び静止画像データの記録媒体１０への記録が選択されず、スロー動画像を再度生成することが選択された場合には、ステップＳ３１に戻り、ユーザーにより再度選択されたズームポイントＰＰ１を用いてステップＳ３２〜ステップＳ３８の処理を行なうことによりスロー動画像データ及び静止画像データを再度生成する。その後、スロー動画像データ及び静止画像データに基づいて、スロー動画像及び静止画像のプレビュー表示を行い、ユーザーにより記録媒体１０への記録が指示された場合に、スロー動画像データ及び静止画像データを記録媒体１０へ記録する（図３、ステップＳ１８）。
【００３５】
この実施の形態に係る電子カメラ２によれば、撮影者の意図を反映させつつ、動画像の解像度を低下させることなくより印象的な動画像を生成することができる。即ち、スロー動画像を構成するフレーム画像を高解像度でバッファメモリ８に記憶するため、高精細かつ高精度なスロー動画像データを生成することができる。また、高解像度のフレーム画像に基づき静止画像データを生成するため、高精細かつ高精度な静止画像データ（スロー動画像データより高解像度の静止画像データ）を生成することができる。またバッファメモリ８に記憶されているフレーム画像から短時間のスロー動画を生成するため、スロー動画におけるシーン変動が小さく鑑賞者に違和感を与えることが少ない。
【００３６】
次に、本発明の第２の実施の形態に係る電子カメラについて説明する。なお、第２の実施の形態に係る電子カメラの構成は、第１の実施の形態に係る電子カメラ２と同様であるため、第２の実施の形態に係る電子カメラの説明においては、第１の実施の形態に係る電子カメラ２の構成に付したのと同一の符号を用いる。
【００３７】
この第２の実施の形態に係る電子カメラにおいては、制御部４は静止画撮影指示の入力時ＴＳにバッファメモリ８へ記憶されたフレーム画像を読み出し、静止画像生成部５ｃにより表示用静止画像データを生成して、図９に示すように表示用静止画像データに基づく静止画像を表示部１２において表示する。また制御部４は表示用静止画像データに関して画像解析を行い、スロー動画像データ生成の際の画角変更時にターゲットとする位置の指定に用いるターゲットポイントＰＰの位置を決定する。ここで背景の画像に対して鮮鋭度の高い領域、画像の色が鮮やかな領域、被写体の動きが大きい領域、画像に人物が含まれる場合に顔が存在する領域等がターゲットポイントＰＰの位置として決定される。なお図９においては、上述のようにして決定された４個のターゲットポイントＰＰが静止画像上に四角形マークにより表示されている。制御部は４、ユーザーが操作部１４の操作によりターゲットポイントＰＰの中から１つのターゲットポイントをズームポイントＰＰ１として選択すると（図４のステップＳ３１）、第１の実施の形態と同様に図４のステップＳ３２〜ステップＳ３８の処理を行い、第１の実施の形態と同様なスロー動画像データ及び静止画像データを生成する。
【００３８】
なお、この第２の実施の形態においては、制御部４は表示用静止画像データに基づいて、スロー動画像データ生成の際の画角変更時にターゲットとする位置の指定に用いる、４点のターゲットポイントＰＰを決定し、静止画上に表示しているが、制御部４は４点のターゲットポイントＰＰの中から１つの代表点をズームポイントＰＰ１として決定して、図１０において黒色の四角マークで示すように、他のターゲットポイントＰＰと識別して表示するようにしてもよい。この場合に制御部４は、決定したズームポイントＰＰ１を用いて、第１の実施の形態と同様に図４のステップＳ３２〜ステップＳ３８の処理を行い、第１の実施の形態と同様なスロー動画像データ及び静止画像データを生成し、記録媒体１０に記録する。
【００３９】
また、上述の実施の形態において、スロー動画像及び静止画像を表示部１２にプレビュー表示した後、スロー動画像データ及び静止画像データを記録媒体１０に記録するか否かを選択させる選択画面を表示するとき、画角変化のスピード変更を指示できるようにしてもよい。上述の実施の形態においては、図８に示すように、図８（Ａ）に示すスロー動画の最初の画像の画角から、図８（Ｃ）に示すスロー動画の最後の画像の画角まで一定の速度で画角を変更させているが、スロー動画の最初の部分においては画角の変更速度を小さくし、その後画角の変更速度を大きくする、またはスロー動画の最初の部分と最後の部分においては画角の変更をせず、スロー動画の中間部分において最初の画角から最後の画角へ一定速度で画角の変更を行なうなど、画角の変更速度を任意に設定できるようにしてもよい。この場合には画角速度の変更パターンを複数個、表示部１２に表示させ、ユーザーが操作部１４を操作することにより選択できるようにすることが好ましい。
【００４０】
また上述の実施の形態においては、スロー動画の最初の画像と最後の画像との間のズーム倍率を約２倍としているが、ズーム倍率を１．５倍または３倍等としたスロー動画を生成することも可能である。また第２フレームレートの値を変更し、変更後の第２フレームレートでスロー動画像を再度生成することを選択できる構成にすることもできる。この場合には、ユーザーがプレビュー表示を見た後、表示されるスロー動画像を更に遅く、または少し速めることを所望したとき等に有効である。
【００４１】
また、上述の実施の形態においては、第１フレームレートでバッファメモリ８に記憶されているフレーム画像を第２フレームレートで読み出すことにより、スロー動画像データを生成しているが、フレーム画像を第１フレームレートで読み出し、第１領域の画角と、ターゲットポイントＰＰ１を含み且つ第１領域の画角とは異なる画角である第２領域の画角との間を所定時間をかけて画角が変化する通常の動画像データを生成するようにしてもよい。即ち通常の速度で再生される動画像において第１領域の画角から第２領域の画角へ所定時間かけて画角が変化する動画像データを生成するようにしてもよい。
【００４２】
また上述の実施の形態においては、ズームポイントＰＰ１を含んだ所定の画角にズームインする動画の生成を行なっているが、ズームアウトするスロー動画を生成するようにしてもよい。この場合には、制御部４は静止画撮影指示の入力時ＴＳにバッファメモリ８へ記憶されたフレーム画像を読み出し、静止画像生成部５ｃにより表示用静止画像データを生成して、図６に示すように表示用静止画像データに基づく静止画像を表示部１２において表示する。また静止画像上の所定の位置に、スロー動画像データ生成の際の画角変更時にターゲットとする位置の指定に用いる９点のターゲットポイントＰＰ、即ち図６において格子状に配列されている９個の四角形マークの表示を行う。
【００４３】
ここで図６において表示されている静止画像はズームアウトするスロー動画の初期画角を設定するために用いられる。従って、ユーザーが、例えば右下に表示されているターゲットポイントＰＰを選択すると、このターゲットポイントＰＰを含む所定領域、例えば図８（Ｃ）に示す領域の画角が初期画角として決定され、この初期画角から図８（Ａ）に示す最終画角まで所定時間かけて画角が変化するスロー動画が生成される。
【００４４】
また上述の実施の形態においては、ズームインするスロー動画を生成するためにユーザーがズームポイントＰＰ１を指定することにより最終領域の画角の設定を行なっているが、最終領域の画角のみならず初期領域の画角もユーザーが設定するようにしてもよい。この場合には、例えばユーザーが図１１（Ａ）に示す１つ目のターゲットポイントＰＰ１と、図１１（Ｂ）に示す２つ目のターゲットポイントＰＰ１２を選択すると、まず、画像全体の画角から図１１（Ａ）に示す１つ目のターゲットポイントＰＰ１を含む領域（図において破線で示す領域）にズームインし、その後図１１（Ｂ）に示す２つ目のターゲットポイントＰＰ１２を含む領域（図において破線で示す領域）に画角がスライドするスロー動画を作成してもよい。
【００４５】
また上述の実施の形態において、図１１（Ａ）に示す１つ目のターゲットポイントＰＰ１を含む領域にズームインした画像から２つ目のターゲットポイントＰＰ１２を含む領域に画角がスライドするスロー動画、即ちパンニングしたスロー動画像を作成してもよい。また、画像全体の画角の中央部にズームインし、その後ターゲットポイントＰＰ１またはターゲットポイントＰＰ１２を含む画角にスライドするスロー動画を作成してもよい。
【００４６】
また上述の実施の形態において、画角の変更を行なわないスロー動画像データの生成を行なうと共に、最初の全体画角の中の一部分、例えば人の顔認識を行い複数の顔が認識された場合には、全体画角から認識された人の顔が含まれる領域にズームインするスロー動画を認識された顔ごとに生成するようにしてもよい。
【００４７】
また上述の実施の形態においては、記録用のスロー動画像データ及び静止画像データを生成し、プレビュー時には記録用のスロー動画像データ及び静止画像データに基づいてプレビュー用のスロー動画像データ及び静止画像データを生成しているが、記録用のスロー動画像データ及び静止画像データを生成する際に併せてプレビュー用のスロー動画像データ及び静止画像データを生成してもよい。また最初にプレビュー用のスロー動画像データ及び静止画像データを生成し、記録媒体に記録させる際に記録用のスロー動画像データ及び静止画像データを生成するようにしてもよい。
【００４８】
また上述の実施の形態において、バファメモリ８に記憶されている複数のフレーム画像及び操作部１４の操作により指定された少なくとも１つのズームポイントを記録媒体１０に記録させ、制御部４は記録媒体１０から複数のフレーム画像及びズームポイントを読み出した際に、複数のフレーム画像及びズームポイント用いて、第１領域の画角からズームポイントを含む第２領域の画角へ画角が変化する動画像データを生成するようにしてもよい。
【符号の説明】
【００４９】
２…電子カメラ、４…制御部、５…映像信号処理回路、５ａ…スルー画生成部、５ｂ…動画生成部、５ｃ…静止画生成部、６…撮像素子、８…バッファメモリ、１０…記録媒体、１２…表示部、１４…操作部、１６…メモリ
【図１】
2013102385.tif 000003
【図２】
2013102385.tif 000004
【図３】
2013102385.tif 000005
【図４】
2013102385.tif 000006
【図５】
2013102385.tif 000007
【図６】
2013102385.tif 000008
【図７】
2013102385.tif 000009
【図８】
2013102385.tif 000010
【図９】
2013102385.tif 000011
【図１０】
2013102385.tif 000012
【図１１】
2013102385.tif 000013